(57)【要約】【目的】エンジンの潤滑油供給装置において、各流路への供給油圧を調整するための制御バルブを提供すること。【構成】主流路１１と、流路断面積調整スプール４１と、下流側分岐流路１２と、連通流路３と、流路開閉バルブ２２と、流路開閉スプール４３と、上流側分岐流路１３とからなること。エンジンの低回転域では、流路開閉バルブ４２は下流側分岐流路１２と連通流路３とを遮断して、主流路１１の流路断面積を最大とし、中回転域では流路開閉バルブ４２は下流側分岐流路１２と連通流路３とを連通させると共に流路開閉スプール４３は連通流路３を連通させて油圧にて流路断面積調整スプール４１を主流路１１の流路断面積が減少する方向に移動させ、高回転域では流路開閉スプール４３が連通流路３を遮断し、主流路１１の流路断面積を最大にすること。【選択図】      図１
2014015868.tif 000002
【特許請求の範囲】
【請求項１】
主流路と、該主流路の途中に装着され流路断面積を増減させる流路断面積調整スプールと、前記主流路における前記流路断面積調整スプールの位置よりも下流側で分岐する下流側分岐流路と、該下流側分岐流路から前記流路断面積調整スプールに向かってオイルを送る連通流路と、前記下流側分岐流路と前記連通流路との間に装着されると共に前記下流側分岐流路と前記連通流路とを連通及び遮断する流路開閉バルブと、前記連通流路の途中に装着される流路開閉スプールと、前記主流路における前記流路断面積調整スプールの位置よりも上流側で分岐し、前記流路開閉スプールに油圧供給する上流側分岐流路とからなり、エンジンの低回転域では、前記流路開閉バルブは前記下流側分岐流路と前記連通流路とを遮断して、前記主流路の流路断面積を最大とし、エンジンの中回転域では前記流路開閉バルブは前記下流側分岐流路と前記連通流路とを連通させると共に前記流路開閉スプールは前記連通流路を連通させて油圧にて前記流路断面積調整スプールを前記主流路の流路断面積が減少する方向に移動させ、エンジンの高回転域では前記流路開閉スプールが前記連通流路を遮断し、前記主流路の流路断面積を最大としてなることを特徴とする制御バルブ。
【請求項２】
主流路と、該主流路の途中に装着される流路断面積調整スプールと、前記主流路における前記流路断面積調整スプールの位置よりも下流側で分岐する下流側分岐流路と、該下流側分岐流路から前記流路断面積調整スプールに向かってオイルを送る連通流路と、前記下流側分岐流路と前記連通流路との間に装着されると共に前記下流側分岐流路と前記連通流路とを連通及び遮断する流路開閉バルブと、前記連通流路の途中に装着される流路開閉スプールと、前記主流路における前記流路断面積調整スプールの位置よりも上流側で分岐し、前記流路開閉スプールに油圧を供給する上流側分岐流路とからなり、前記流路開閉バルブは前記下流側分岐流路の油圧の増加に伴って前記下流側分岐流路と前記連通流路とを連通させ、前記流路開閉スプールは前記上流側分岐流路からの油圧の増加に伴って前記連通流路を遮断し、前記流路断面積調整スプールは、前記主流路の流路断面積が最大側となるように弾性付勢され且つ前記連通流路からの油圧の増加に伴って前記主流路の流路断面積が減少するように移動してなることを特徴とする制御バルブ。
【請求項３】
請求項１又は２において、前記流路開閉バルブが前記下流側分岐流路と前記連通流路とを連通させるのに必要な油圧は、前記流路開閉スプールが前記連通流路を遮断させるのに必要な油圧よりも小さく設定されてなることを特徴とする制御バルブ。
【請求項４】
請求項１，２又は３のいずれか１項の記載において、前記流路断面積調整スプールが装着される流路断面積調整スプール室と、前記流路開閉スプールが装着される流路開閉スプール室との間にはドレン流路が設けられ、且つ前記流路開閉スプール室には排出流路が形成され、前記流路開閉スプールが前記連通流路を遮断する場合には前記ドレン流路と前記排出流路とを連通させてなることを特徴とする制御バルブ。
【請求項５】
請求項１，２，３又は４のいずれか１項の記載において、前記流路断面積調整スプールが装着される流路断面積調整スプール室は、前記主流路と直交する、主室部と副室部とから構成され、前記流路断面積調整スプールは前記主流路を横切るように前記主室部と前記副室部とを往復移動する構成としてなることを特徴とする制御バルブ。
【発明の詳細な説明】
【技術分野】
【０００１】
本発明は、エンジンの潤滑油供給装置、特に、シリンダヘッドのカムジャーナルなどへ潤滑油を送る動弁系供給流路と、シリンダブロックのクランクシャフト、コンロッドなどへ潤滑油を送るクランク軸系供給流路とを備えた潤滑油供給装置において、各流路への供給油圧を調整するための制御バルブに関する。
【背景技術】
【０００２】
従来、エンジンの回転数の大小に応じて、オイルポンプから供給するオイルの油圧を変化させて、それぞれの回転数領域に最適な油圧を有するオイルを供給しようとする試みが行われている。また、動弁系潤滑回路，クランク軸系潤滑回路へ供給する油圧をそれぞれ必要とする異なる油圧に調整することでオイルポンプの負荷を軽減しようとしている。
【０００３】
この種の目的を達成するために、特許文献１が存在する。以下、特許文献１を概説する。なお、説明における符号は、特許文献１に記載されていたものをそのまま使用する。まず、オイルが、オイルパン１０からオイルポンプ１２により汲み上げられ、第１給油経路１６ａと、第２給油経路１６ｂとに送られる。
【０００４】
第１給油経路１６ａは、主にクランク軸の軸受部１８にオイルを供給する経路であり、第２給油経路１６ｂは、例えば動弁機構２０などにオイルを供給する経路である。第１給油経路１６ａ上には、クランク軸の軸受部１８に供給するオイル量を制御するための油圧制御弁２２が配置されている。油圧制御弁２２は、その出力油圧をコントロールユニット２４によって制御されるように構成されている。
【０００５】
コントロールユニット２４は、エンジン回転数センサ２６、エンジン負荷センサ２８、油温センサ３０、油圧センサ３２によって制御される。油圧が所定値を超えるとオイルポンプ１２とフィルタ１４との間のオイル経路部分からオイルパン１０に過剰な油圧を逃がすリリーフバルブ３４が設けられている。以上の構成において、油圧制御弁２２の制御はコントロールユニット２４によって行われるものである。
【先行技術文献】
【特許文献】
【０００６】
【特許文献１】特開２００９―２６４２４１号公報
【発明の概要】
【発明が解決しようとする課題】
【０００７】
特許文献１及び同種の構成を備えた従来技術では、以下のような課題が存在する。特許文献１では、制御手段として電子制御としたものである。そのために、油圧制御弁２２を制御するためには、エンジン回転数、油温、エンジン負荷、油圧など数多くの情報の取得が必要であり、また、ＭＡＰ制御や油温補正等の複雑な制御も必要になるため、大きなコスト増加となる可能性がある。更には、油圧制御弁２２を駆動することによって、電力が消費されるため、発電装置の駆動のためエンジンの負荷が増大する可能性がある。
【０００８】
さらに加えて、制御に必要な各種センサ，油圧制御弁２２，コントロールユニット２４等の電気系統のいずれか一つに故障が起きた場合、十分な制御ができなくなり、期待する効果が得られなくなるといった課題も生じる。そこで、本発明の目的（解決しようとする技術的課題）は、本発明では、電子制御が本来有している課題を避けるべく、機構を油圧駆動とすることで、安価で信頼性の高い制御バルブを提供することにある。
【課題を解決するための手段】
【０００９】
そこで、発明者は、上記課題を解決すべく、鋭意，研究を重ねた結果、請求項１の発明を、主流路と、該主流路の途中に装着され流路断面積を増減させる流路断面積調整スプールと、前記主流路における前記流路断面積調整スプールの位置よりも下流側で分岐する下流側分岐流路と、該下流側分岐流路から前記流路断面積調整スプールに向かってオイルを送る連通流路と、前記下流側分岐流路と前記連通流路との間に装着されると共に前記下流側分岐流路と前記連通流路とを連通及び遮断する流路開閉バルブと、前記連通流路の途中に装着される流路開閉スプールと、前記主流路における前記流路断面積調整スプールの位置よりも上流側で分岐し、前記流路開閉スプールに油圧供給する上流側分岐流路とからなり、エンジンの低回転域では、前記流路開閉バルブは前記下流側分岐流路と前記連通流路とを遮断して、前記主流路の流路断面積を最大とし、エンジンの中回転域では前記流路開閉バルブは前記下流側分岐流路と前記連通流路とを連通させると共に前記流路開閉スプールは前記連通流路を連通させて油圧にて前記流路断面積調整スプールを前記主流路の流路断面積が減少する方向に移動させ、エンジンの高回転域では前記流路開閉スプールが前記連通流路を遮断し、前記主流路の流路断面積を最大としてなる制御バルブとしたことにより、上記課題を解決した。
【００１０】
請求項２の発明を、主流路と、該主流路の途中に装着される流路断面積調整スプールと、前記主流路における前記流路断面積調整スプールの位置よりも下流側で分岐する下流側分岐流路と、該下流側分岐流路から前記流路断面積調整スプールに向かってオイルを送る連通流路と、前記下流側分岐流路と前記連通流路との間に装着されると共に前記下流側分岐流路と前記連通流路とを連通及び遮断する流路開閉バルブと、前記連通流路の途中に装着される流路開閉スプールと、前記主流路における前記流路断面積調整スプールの位置よりも上流側で分岐し、前記流路開閉スプールに油圧を供給する上流側分岐流路とからなり、前記流路開閉バルブは前記下流側分岐流路の油圧の増加に伴って前記下流側分岐流路と前記連通流路とを連通させ、前記流路開閉スプールは前記上流側分岐流路からの油圧の増加に伴って前記連通流路を遮断し、前記流路断面積調整スプールは、前記主流路の流路断面積が最大側となるように弾性付勢され且つ前記連通流路からの油圧の増加に伴って前記主流路の流路断面積が減少するように移動してなる制御バルブとしたことにより、上記課題を解決した。
【００１１】
請求項３の発明を、請求項１又は２において、前記流路開閉バルブが前記下流側分岐流路と前記連通流路とを連通させるのに必要な油圧は、前記流路開閉スプールが前記連通流路を遮断させるのに必要な油圧よりも小さく設定されてなる制御バルブとしたことにより上記課題を解決した。
【００１２】
請求項４の発明を、請求項１，２又は３のいずれか１項の記載において、前記流路断面積調整スプールが装着される流路断面積調整スプール室と、前記流路開閉スプールが装着される流路開閉スプール室との間にはドレン流路が設けられ、且つ前記流路開閉スプール室には排出流路が形成され、前記流路開閉スプールが前記連通流路を遮断する場合には前記ドレン流路と前記排出流路とを連通させてなる制御バルブとしたことにより上記課題を解決した。
【００１３】
請求項５の発明を、請求項１，２，３又は４のいずれか１項の記載において、前記流路断面積調整スプールが装着される流路断面積調整スプール室は、前記主流路と直交する、主室部と副室部とから構成され、前記流路断面積調整スプールは前記主流路を横切るように前記主室部と前記副室部とを往復移動する構成としてなる制御バルブとしたことにより、上記課題を解決した。
【発明の効果】
【００１４】
請求項１及び請求項２の発明では、電気的な駆動を必要とするソレノイド弁やセンサなどを使うことなく、機械的な油圧機構のみにより、エンジン回転数の変化、すなわち主流路の油圧の変化に応じて、制御バルブの下流側の油圧を制御する構成としたものである。
【００１５】
これにより、電気系統の故障により油圧制御が適切に行なえなくなる可能性を排除し、従来技術の潤滑油供給装置を超える作動信頼性を確保するとともに、部品や制御の追加などによるコストアップを抑えることが可能となる。
【００１６】
また、動作については、エンジンの中回転域では流路断面積調整スプールに油圧が掛かり、流路断面積調整スプールが軸方向に移動することにより、オイル回路の流路断面積を絞る構成としたものである。オイル通路の断面積を絞ることにより、流路断面積調整スプールの下流側の油圧を低下させることが出来る。
【００１７】
また、エンジンの高回転域では、連通流路を流れるオイルが流路開閉スプールによって遮断され、ドレン流路と流路開閉スプール室の排出流路が連通することで、流路断面積調整スプールに与えられる油圧が低下し、流路断面積調整スプールが具備する弾性付勢力によって流路断面積調整スプールが主流路の流路断面積を最大となる方向に移動し、エンジンの回転数に応じてオイルの流量、圧力を増加させることができる。
【００１８】
このように本発明では、下流側の油圧は低下することなく、エンジンの低回転域では、始動から徐々に油圧を上昇させることができる。また、エンジンの中回転域では、油圧の上昇を抑制し無駄なオイルの働きを防止できる。また、エンジンの高回転域では潤滑や冷却のために高い油圧を必要とする場合には、それに応じて高い油圧を供給出来る。
【００１９】
請求項３の発明では、前記流路開閉バルブが前記下流側分岐流路と前記連通流路とを連通させるのに必要な油圧は、前記流路開閉スプールが前記連通流路を遮断させるのに必要な油圧よりも小さく設定され、前記主流路を流れる油圧の上昇により前記流路開閉バルブは前記流路開閉スプールよりも先に移動してなる構成とすることで、弾性部材の弾性付勢力を設定するのみで、エンジンの回転数に応じた適正な動作が行われる。
【００２０】
請求項４の発明では、前記流路開閉スプールが前記連通流路を遮断し、前記流路断面積調整スプール室への油圧の供給が停止された場合の流路断面積調整スプールの動作を円滑に行うことができる。請求項５の発明では、流路断面積調整スプールが安定した状態で軸方向の往復移動が行われる。
【図面の簡単な説明】
【００２１】
【図１】（Ａ）は本発明の制御バルブの構成を示す断面図、（Ｂ）は（Ａ）の構成の略示図である。
【図２】（Ａ）は制御バルブにおけるエンジンの低回転域の作用を示す略示図、（Ｂ）は（Ａ）の（ア）部におけるアイドリング域から低回転域の動作を示す略示図である。
【図３】（Ａ）は制御バルブにおけるエンジンの中回転移行直後の作用を示す略示図、（Ｂ）は（Ａ）の（イ）部における低回転域から中回転移行直後の動作を示す略示図である。
【図４】（Ａ）は制御バルブにおけるエンジンの中回転域の作用を示す略示図、（Ｂ）は（Ａ）の（ウ）部における中回転移行直後から中回転域の動作を示す略示図である。
【図５】（Ａ）は制御バルブにおけるエンジンの高回転域の作用を示す略示図、（Ｂ）は（Ａ）の（エ）部における高回転移行直後から高回転域の動作を示す略示図である。
【図６】本発明における制御バルブをオイル回路に配置した略示図である。
【発明を実施するための形態】
【００２２】
以下、本発明の実施形態を図面に基づいて説明する。本発明の制御バルブは、エンジン各部にオイルを供給するオイル循環回路内に設けられるものである。さらに、具体的には、主にクランク軸の軸受部等に供給するオイルの制御を行う（図６参照）。
【００２３】
本発明の制御バルブは、エンジンのオイル循環回路におけるクランク軸系潤滑回路の途中に配置されるが、動弁系潤滑回路を制御する場合にも適用され、この場合には本発明の制御バルブを動弁系潤滑回路の途中に配置することになる。
【００２４】
本発明の構成は、主にハウジングＡと、流路断面積調整スプール４１，流路開閉バルブ４２，流路開閉スプール４３及びこれらのバルブを弾性的に付勢する弾性部材４５，４６，４７等とから構成される〔図１（Ａ）参照〕。ハウジングＡには、主流路１１が形成されている。該主流路１１は、オイルの循環回路の一部をなす。
【００２５】
したがって、本発明の制御バルブがクランク軸系潤滑回路に設けられる場合には、主流路１１はクランク軸系潤滑回路の一部を構成する。図１（Ｂ）は、図１（Ａ）のハウジングＡの内部の構造を簡略化したものである。
【００２６】
主流路１１は、ハウジングＡの外部とのオイル管と接続する部分において、流入側接続端部１１ａと流出側接続端部１１ｂとが存在し、前記流入側接続端部１１ａよりオイル循環回路のオイルが流入し、前記流出側接続端部１１ｂからオイルが流出してゆく。
【００２７】
ハウジングＡには、流路断面積調整スプール室２１，流路開閉バルブ室２２及び流路開閉スプール室２３が形成される。流路断面積調整スプール室２１は、主流路１１を横切るように形成され、さらに具体的には、前記主流路１１に対して直交状態で交差するように形成された部屋であり、主流路１１によって、２つの部屋に分離されている。
【００２８】
その一方は主室部２１１と称し、他方を副室部２１２と称する。流路断面積調整スプール室２１には、後述する流路断面積調整スプール４１が装着される。また、前記主流路１１における流路断面積調整スプール室２１の位置よりも下流側に位置する箇所には下流側分岐流路１２が分岐形成され、前記流路断面積調整スプール室２１よりも上流側には上流側分岐流路１３が分岐形成される。なお、前記上流側及び前記下流側については、任意の位置から見て、流入方向を上流側とし、流出方向を下流側とする。したがって、オイルは上流側から下流側に向かって流れる。
【００２９】
前記流路開閉バルブ室２２は、下流側分岐流路１２を介して主流路１１の下流側と連通している。また流路開閉スプール室２３は、上流側分岐流路１３を介して主流路１１の上流側と連通している。具体的には、下流側分岐流路１２は、流路開閉バルブ室２２の軸方向の頂部に形成された頂部開口２２ａと連通し、上流側分岐流路１３は、流路開閉スプール室２３の軸方向の頂部に形成された頂部開口２３ａと連通している。
【００３０】
流路開閉バルブ室２２と流路断面積調整スプール室２１との間には連通流路３が形成され、該連通流路３によって連通されている。流路開閉スプール室２３は、前記連通流路３の途中に配置されている。つまり、該連通流路３は、流路開閉スプール室２３によって２つに分離される構成となっている。
【００３１】
そして、連通流路３は、前記流路開閉バルブ室２２と前記流路開閉スプール室２３との間を第１連通流路３１とし、前記流路開閉スプール室２３と前記流路断面積調整スプール室２１との間を第２連通流路３２と称する。
【００３２】
第１連通流路３１の一方側端部は、流路開閉バルブ室２２の軸方向に直交する側面部に形成された側部流出口２２ｂと連通している。また、第１連通流路３１の他方側端部は、流路開閉スプール室２３の軸方向に直交する側面部に形成された側部流入口２３ｂと連通している。
【００３３】
次に、第２連通流路３２の一方側端部は、流路開閉スプール室２３の軸方向に直交する側面部に形成された側部流出口２３ｃと連通している。また、第２連通流路３２の他方側端部は、流路断面積調整スプール室２１の軸方向の頂部に形成された頂部流入口２１ａに連通している。
【００３４】
さらに、流路開閉スプール室２３と流路断面積調整スプール室２１との間には、前記第２連通流路３２とは軸方向に沿って異なる位置にドレン流路３３が連通するように形成されている。具体的には、流路断面積調整スプール室２１の頂部で前記頂部流入口２１ａとは異なる位置に頂部流出口２１ｂが形成され、前記流路開閉スプール室２３の軸方向に直交する側面部で前記側部流出口２３ｃよりも軸方向奥位置にドレン流入口２３ｄが形成され、前記頂部流出口２１ｂと前記ドレン流入口２３ｄとの間に前記ドレン流路３３が形成される。
【００３５】
また、前記流路開閉スプール室２３には、ドレン流入口２３ｄと軸方向において同一で且つ周方向にて異なる適宜の位置にドレン排出口２３ｅが形成され、該ドレン排出口２３ｅから、ハウジングＡの外部に連通する排出流路３４が形成されている。
【００３６】
前記流路断面積調整スプール室２１には、流路断面積調整スプール４１が配置されている。流路断面積調整スプール４１は、前記流路断面積調整スプール室２１に軸方向に移動自在で、且つ前記主流路１１を略直交状態で横切るように配置される。
【００３７】
具体的には、流路断面積調整スプール４１は、その軸方向の一方側の部分が、前記主室部２１１に配置され、軸方向の他方側の部分が前記副室部２１２に配置される。そして、流路断面積調整スプール４１は、軸方向に移動して、前記主流路１１の流路断面積を変化させることにより、主流路１１を流れるオイルの流量を制御する役目をなす。
【００３８】
流路断面積調整スプール４１は、前記主室部２１１に挿入される第１摺動部４１１と、前記副室部２１２に挿入される第２摺動部４１２と、前記第１摺動部４１１と前記第２摺動部４１２を連結する括れ部４１ｂ及び大径顎状部４１ｄとから構成される。
【００３９】
前記第１摺動部４１１と前記第２摺動部４１２の外径は、前記主流路１１の内径と略等しく又は極僅かに小さく形成されている。前記括れ部４１ｂは、第１摺動部４１１と第２摺動部４１２の外径よりも小さく形成されている。また、大径顎状部４１ｄは、第1摺動
部４１１の端部に形成され且つ該第１摺動部４１１の外径よりも大きく形成されている。前記括れ部４１ｂの周囲は空隙部４１ｃとなる。
【００４０】
流路断面積調整スプール４１は、弾性部材４５によって、主流路１１内を括れ部４１ｂが横切り、主流路１１の流路断面積が最大となるような弾性付勢力がかけられている。このとき、主流路１１内のオイルは、前記括れ部４１ｂと主流路１１の内壁との間の空隙部４１ｃを通って流れることになる。前記弾性部材４５の実施形態としては、主にコイルスプリングが使用される。
【００４１】
そして、流路断面積調整スプール室２１の頂部流入口２１ａからオイルが流入することによって、流路断面積調整スプール４１の大径鍔状部４１ｄが前記連通流路３を流れるオイルから圧力を受けて押圧され、前記弾性部材４５の弾性付勢力に抗して、流路断面積調整スプール４１が流路断面積調整スプール室２１の副室部２１２の方向に移動する。
【００４２】
これによって、流路断面積調整スプール室２１の主室部２１１内の第１摺動部４１１が主流路１１内に突出し、主流路１１の流路断面積は最大状態から減少し、流路断面積調整スプール室２１より下流側へのオイル供給量が減少する。また、第１摺動部４１１は、主流路１１の流路断面積を減少させるものであり、オイルの流れを完全に遮断するものではなく、オイルの流量を減少させるのみである。
【００４３】
次に、前記流路開閉バルブ室２２には、流路開閉バルブ４２が配置されている。該流路開閉バルブ４２は、下流側分岐流路１２と連通流路３を構成する第１連通流路３１とを遮断及び連通させる役目をなす。
【００４４】
そして、流路開閉バルブ４２は、弾性部材４６の弾性付勢力によって、常時、流路開閉バルブ室２２の軸方向における頂部箇所に向かって押圧され、該流路開閉バルブ室２２の頂部箇所に位置し、この状態を流路開閉バルブ４２の初期状態とし、初期状態では前記下流側分岐流路１２と第１連通流路３１とを遮断している。
【００４５】
次に、前記流路開閉スプール室２３には、流路開閉スプール４３が配置されている。該流路開閉スプール４３は、連通流路３を構成する第１連通流路３１と第２連通流路３２を連通及び遮断させる役目をなす。
【００４６】
流路開閉スプール４３は、第１摺動部４３１と、第２摺動部４３２と、前記第１摺動部４３１と第２摺動部４３２とを連結し、第１摺動部４３１，第２摺動部４３２の外径よりも径が小さい括れ部４３ｂから構成されている。該括れ部４３ｂと流路開閉スプール室２３の内壁とで空隙部４３ｃを形成する。
【００４７】
流路開閉スプール４３は、弾性部材４７の弾性付勢力によって、常時、流路開閉スプール室２３の頂部箇所に向かって押圧され、該流路開閉スプール室２３の頂部箇所に位置している。この状態を流路開閉スプール４３の初期状態とする。前記弾性部材４６及び弾性部材４７は、主にコイルスプリングが使用される。
【００４８】
流路開閉スプール４３は、流路開閉スプール室２３の頂部箇所に位置している状態，すなわち、初期状態では、前記括れ部４３ｂが側部流入口２３ｂと側部流出口２３ｃの位置にあり、側部流入口２３ｂと側部流出口２３ｃとは空隙部４３ｃを介して開放され、第１連通流路３１と第２連通流路３２とが連通する。
【００４９】
そして、流路開閉スプール室２３の頂部で連通する上流側分岐流路１３にオイルが流れて油圧が増加することによって、流路開閉スプール４３は、弾性部材４７の弾性付勢力に抗して移動し、第１摺動部４３１が側部流入口２３ｂと側部流出口２３ｃとの位置に到達して閉鎖し、第１連通流路３１と第２連通流路３２とを遮断させる。そして、連通流路３から流路断面積調整スプール室２１へのオイルの流れを停止させる。
【００５０】
流路断面積調整スプール４１は、弾性部材４５によって、主流路１１内を括れ部４１ｂが横切る状態になるように弾性付勢力がかけられている。そして第２連通流路３２から流路断面積調整スプール室２１にオイルが流入することによって、流路断面積調整スプール４１の大径鍔状部４１ｄが押圧され、前記弾性部材４５の弾性付勢力に抗して移動する。
【００５１】
次に、本発明の動作を主にエンジンの低回転域，中回転域及び高回転域について説明する。なお、エンジンの回転状態において、アイドリング（アイドル回転とも言う）も含まれる。アイドリング域では、車両は停止しており、エンジンには走行時の負荷はかからないが、低回転域から高回転域では車両は走行するために、エンジンに負荷がかかるものである。
【００５２】
エンジンの低回転域では、図２（Ａ）に示すように、流路断面積調整スプール４１は、弾性部材４５によって、初期状態にあり、主流路１１に対して括れ部４１ｂのみが横切った状態で、流路断面積が最大状態にあり、流路断面積調整スプール４１の括れ部４１ｂの周囲の空隙部４１ｃを通過して、オイルは上流側から下流側に流れていく。図２（Ｂ）はエンジンのアイドリング域から低回転域に到達するまでの流路開閉バルブ４２の動作を示すものである。
【００５３】
このとき、主流路１１を流れるオイルは、下流側分岐流路１２及び上流側分岐流路１３に流れ込むが、弾性部材４６，４７の弾性付勢力に対して油圧が十分に小さいため、流路開閉バルブ４２及び流路開閉スプール４３は開閉動作することはない。したがって、流路断面積調整スプール４１下流側、すなわちクランク軸系供給油圧と流路断面積調整スプール４１上流側、すなわち動弁系供給油圧は略等しい。
【００５４】
また、エンジンの低回転域では油圧を低下させるような制御は行わないため、回転数が低く元々ポンプ吐出量が少ない領域であっても十分な油圧及び流量を確保することが出来る。
【００５５】
次に、エンジンの中回転域は、中回転移行直後と中回転域に分けて説明する。低回転域から中回転域に移行した直後は、主流路１１から下流側分岐流路１２に流れるオイルの圧力が増加する〔図３（Ａ）参照〕。なお、図２（Ｂ）の低回転域と図３（Ｂ）の低回転域は同一の状態である。
【００５６】
そして、低回転域から中回転移行直後における圧力増加に伴って、流路開閉バルブ４２は、弾性付勢する弾性部材４６の弾性付勢力に抗して押圧され、流路開閉バルブ室２２を前記弾性部材４６方向に移動する〔図３（Ｂ）参照〕。これによって、該流路開閉バルブ室２２の頂部開口２２ａと側部流出口２２ｂとが連通され、前記下流側分岐流路１２と、連通流路３の第１連通流路３１とが連通する。
【００５７】
また、主流路１１を流れるオイルは上流側分岐流路１３にも流れるが、中回転域における上流側の油圧による力は、流路開閉スプール４３を弾性付勢する弾性部材４７の弾性付勢力よりも小さく、略不動に維持される。
【００５８】
この状態では、流路開閉スプール室２３は、略初期状態が維持され、流路開閉スプール室２３の側部流入口２３ｂと側部流出口２３ｃの位置には流路開閉スプール４３の括れ部４３ｂが位置し、側部流入口２３ｂと、側部流出口２３ｃとは開放状態となる。
【００５９】
これによって、前記下流側分岐流路１２，第１連通流路３１，第２連通流路３２が連通し、下流側分岐流路１２及び連通流路３（第１連通流路３１，第２連通流路３２）によって、流路断面積調整スプール室２１の頂部流入口２１ａからオイルが流入する。また、この時、流路開閉スプール室２３のドレン流入口２３ｄとドレン排出口２３ｅとは流路開閉スプール２３の第２摺動部４３２によって閉鎖されている〔図４（Ａ）参照〕。
【００６０】
したがって、流路断面積調整スプール室２１では、頂部流出口２１ｂからのオイルは流出することができない。これにより、エンジンの中回転移行直後から高回転域において、頂部流入口２１ａから流入する油圧の力によって流路断面積調整スプール２１は弾性部材４５の弾性付勢力に抗して移動する〔図４（Ｂ）参照〕。そして、流路断面積調整スプール２１は、主流路１１に対して横切る部分が括れ部４１ｂから第１摺動部４１１に移動し、主流路１１の流路断面積が減少する。
【００６１】
つまり、流路断面積調整スプール４１が移動することにより、第１摺動部４１１が主流路１１の流路断面積を減少させ、オリフィスとしての役目をなす。したがって、主流路１１を上流側から下流側に流れるオイルの流量が減少する。
【００６２】
ただし、オイルの流れは完全に停止することはなく、減少するのみであり、多少の流れは維持される。よって、主流路１１の流路断面積が減少することで、制御バルブの上流側の油圧（動弁系供給油圧に等しい）よりも制御バルブの下流側の油圧（クランク軸系供給油圧に等しい）の方が小さくなる。
【００６３】
次に、エンジンの高回転域では、主流路１１の上流側の油圧が中回転域よりも上昇するため、主流路１１から上流側分岐流路１３を介して、流路開閉スプール室２３に供給される油圧も上昇する〔図５（Ａ）参照〕。これによって、流路開閉スプール４３は弾性部材４７の弾性付勢力に抗して弾性部材４７の方向に移動する。
【００６４】
そして、エンジンの高回転移行直後から高回転域において、流路開閉スプール４３の第１摺動部４３１が流路開閉スプール室２３の側部流入口２３ｂと側部流出口２３ｃを閉鎖し、同時に括れ部４３ｂがドレン流入口２３ｄとドレン排出口２３ｅの位置に到達して、前記ドレン流入口２３ｄと前記ドレン排出口２３ｅとを開放する〔図５（Ｂ）参照〕。
【００６５】
これによって、流路断面積調整スプール４１は弾性部材４５の弾性付勢力によって押圧され、流路断面積調整スプール室２１内に溜まっているオイルは、頂部流出口２１ｂからドレン流路３３を介して、前記流路開閉スプール室２３のドレン流入口２３ｄとドレン排出口２３ｅとを流れ、排出流路３４からハウジングＡの外部に排出される。これによって、流路断面積調整スプール４１は、円滑に初期位置に復帰できる。
【符号の説明】
【００６６】
１１…主流路、１２…下流側分岐流路、１３…上流側分岐流路、
２１…流路断面積調整スプール室、２１１…主室部、２１２…副室部、
２３…流路開閉スプール室、３…連通流路、３３…ドレン流路、３４…排出流路、
４１…流路断面積調整スプール、４２…流路開閉バルブ、４３…流路開閉スプール。
【図１】
2014015868.tif 000003
【図２】
2014015868.tif 000004
【図３】
2014015868.tif 000005
【図４】
2014015868.tif 000006
【図５】
2014015868.tif 000007
【図６】
2014015868.tif 000008